(57)【要約】【課題】コネクタ同士を容易で確実に嵌合でき、嵌合後のコネクタ同士を水密に保つことができるコネクタを提供する。【解決手段】コネクタ１は雄コネクタ２と雌コネクタ３と雄コネクタ２に回転自在に設けられたレバー４と押圧凸部５を備えている。レバー４は回転することでコネクタ２，３を互いに接離させる。押圧凸部５はレバー４の平板部２９から雌コネクタ３のフード部２４に向かって突出している。押圧凸部５はコネクタ２，３同士が嵌合する際に雌コネクタ３のフード部２４を雄コネクタ２のインナハウジング１１に向かって押圧する。【選択図】図２
2008004271.tif 000002
【特許請求の範囲】
【請求項１】
雄型のコネクタと、
前記雄型のコネクタが内側に侵入して当該雄型のコネクタと嵌合する雌型のコネクタと、
前記雄型のコネクタと前記雌型のコネクタとのうち一方のコネクタに回転自在に取り付けられているとともに、回転することで、前記雄型のコネクタと前記雌型のコネクタとを互いに接離させるレバーと、を備えたコネクタにおいて、
前記レバーと前記雌型のコネクタとのうち一方から他方に向かって突出して設けられ、前記コネクタ同士が嵌合すると、前記雄型のコネクタと前記雌型のコネクタとが密着する方向に前記雌型のコネクタを押圧する押圧凸部を備えたことを特徴とするコネクタ。
【請求項２】
前記押圧凸部が、前記コネクタ同士の嵌合後に、前記雌型のコネクタの幅方向の中央部と、前記コネクタ同士の嵌合方向に対して直交する方向に並ぶ位置に配置されていることを特徴とする請求項１記載のコネクタ。
【請求項３】
前記押圧凸部が、前記コネクタ同士の嵌合後に、前記雌型のコネクタの前記雄型のコネクタ寄りの先端部と、前記コネクタ同士の嵌合方向に対して直交する方向に並ぶ位置に配置されていることを特徴とする請求項１又は請求項２記載のコネクタ。
【発明の詳細な説明】
【技術分野】
【０００１】
本発明は、互いに嵌合する雄型のコネクタと雌型のコネクタとこれらのうち一方に回転自在に設けられたレバーとを備えたコネクタに関する。
【背景技術】
【０００２】
雄型のコネクタと雌型のコネクタとを容易に嵌合するために、従来から多種多様なレバー式コネクタが用いられている(例えば、特許文献１参照)。
【０００３】
前述した所謂レバー式コネクタは、雄型のコネクタと、雄型のコネクタが内側に侵入して当該雄型のコネクタと嵌合する雌型のコネクタと、雄型のコネクタに回動自在に取り付けられたレバーとを備えている。雄型のコネクタは、箱状に形成され、前述した雌型のコネクタとの間を水密に保つパッキンが取り付けられている。
【０００４】
雌型のコネクタは、筒状に形成されている。レバーは、雄型のコネクタに対して回動することで、コネクタ同士を接離させる。そして、レバーは、コネクタ同士を接離させて、コネクタ同士を嵌合させたり分離させたりする。
【特許文献１】特開平１１−１０２７４７号公報
【発明の開示】
【発明が解決しようとする課題】
【０００５】
しかしながら、上述した従来のレバー式コネクタは、コネクタ同士が嵌合した後に、パッキンの弾性復元力によって、特に雌コネクタのハウジングの雄コネクタ寄りの先端部でかつ幅方向の中央部が拡がる傾向であった。このため、従来のレバー式コネクタは、コネクタ同士を水密に保つことが困難であった。
【０００６】
また、前述した従来のレバー式コネクタにおいて、パッキンがコネクタ同士を確実に水密に保つことができるようにするためには、コネクタ同士の嵌合時のパッキンの弾性変形量（つぶれ量）を大きくすることが考えられる。しかしながら、この場合、コネクタ同士の嵌合時にレバーを回転するために必要となる操作力が強くなってコネクタ同士の嵌合が困難となったり、雌型のコネクタのハウジングによってパッキンがめくれて当該パッキンがコネクタ間を水密に保てないことが考えられる。
【０００７】
したがって、本発明の目的は、コネクタ同士を容易で確実に嵌合でき、嵌合後のコネクタ同士を水密に保つことができるコネクタを提供することにある。
【課題を解決するための手段】
【０００８】
前述した課題を解決し目的を達成するために、請求項１に記載の本発明のコネクタは、雄型のコネクタと、前記雄型のコネクタが内側に侵入して当該雄型のコネクタと嵌合する雌型のコネクタと、前記雄型のコネクタと前記雌型のコネクタとのうち一方のコネクタに回転自在に取り付けられているとともに、回転することで、前記雄型のコネクタと前記雌型のコネクタとを互いに接離させるレバーと、を備えたコネクタにおいて、前記レバーと前記雌型のコネクタとのうち一方から他方に向かって突出して設けられ、前記コネクタ同士が嵌合すると、前記雄型のコネクタと前記雌型のコネクタとが密着する方向に前記雌型のコネクタを押圧する押圧凸部を備えたことを特徴としている。
【０００９】
請求項２に記載の本発明のコネクタは、請求項１に記載のコネクタにおいて、前記押圧凸部が、前記コネクタ同士の嵌合後に、前記雌型のコネクタの幅方向の中央部と、前記コネクタ同士の嵌合方向に対して直交する方向に並ぶ位置に配置されていることを特徴としている。
【００１０】
請求項３に記載の本発明のコネクタは、請求項１又は請求項２に記載のコネクタにおいて、前記押圧凸部が、前記コネクタ同士の嵌合後に、前記雌型のコネクタの前記雄型のコネクタ寄りの先端部と、前記コネクタ同士の嵌合方向に対して直交する方向に並ぶ位置に配置されていることを特徴としている。
【００１１】
請求項１に記載した本発明のコネクタによれば、レバーと雌型のコネクタとのうち一方に、コネクタ同士の嵌合時に、コネクタ同士を密着させる押圧凸部を設けているので、雄型のコネクタのパッキンの弾性変形量（つぶれ量）を増やすことなく、嵌合後にコネクタ同士を水密に保つことができる。
【００１２】
請求項２に記載した本発明のコネクタによれば、押圧凸部が雌型のコネクタの幅方向の中央部の近傍に配置されるので、当該押圧凸部が特にコネクタ同士の嵌合後に拡がり易い雌型のコネクタの幅方向の中央部を雄型のコネクタと確実に密着させることができる。
【００１３】
請求項３に記載した本発明のコネクタによれば、押圧凸部が雌型のコネクタの雄型のコネクタ寄りの先端部の近傍に配置されるので、当該押圧凸部が特にコネクタ同士の嵌合後に拡がり易い雌型のコネクタの先端部を雄型のコネクタと確実に密着させることができる。
【発明の効果】
【００１４】
請求項１に記載の本発明によれば、雄型のコネクタのパッキンの弾性変形量（つぶれ量）を増やすことなく、嵌合後にコネクタ同士を水密に保つことができる。このため、コネクタ同士の嵌合時に回転するために必要となるレバーの操作力が強くなることを防止でき、雌型のコネクタによってパッキンが捲られることを防止できる。したがって、レバーの操作力を強くすることがないので、コネクタ同士を容易で確実に嵌合できるとともに、パッキンが捲られることもないので、嵌合後のコネクタ同士を水密に保つことができる。
【００１５】
請求項２に記載の本発明によれば、押圧凸部が雌型のコネクタの幅方向の中央部の近傍に配置されるので、当該押圧凸部が特にコネクタ同士の嵌合後に拡がり易い雌型のコネクタの幅方向の中央部を雄型のコネクタと確実に密着させることができる。したがって、嵌合後のコネクタ同士を確実に水密に保つことができる。
【００１６】
請求項３に記載の本発明によれば、押圧凸部が雌型のコネクタの雄型のコネクタ寄りの先端部の近傍に配置されるので、当該押圧凸部が特にコネクタ同士の嵌合後に拡がり易い雌型のコネクタの先端部を雄型のコネクタと確実に密着させることができる。したがって、嵌合後のコネクタ同士をより確実に水密に保つことができる。
【発明を実施するための最良の形態】
【００１７】
本発明の一実施形態にかかるコネクタを、図１ないし図６を参照して説明する。本発明の一実施形態にかかるコネクタ１は、図１に示すように、雄型のコネクタ（以下、単に雄コネクタと呼ぶ）２と、雌型のコネクタ（以下、単に雌コネクタと呼ぶ）３と、レバー４と、一対の押圧凸部５と、を備えている。
【００１８】
雄コネクタ２は、コネクタハウジング９と、図示しない雌型の端子金具（以下、雌端子と呼ぶ）と、パッキン１０と、を備えている。コネクタハウジング９は、図１などに示すように、箱形のインナハウジング１１と、筒形のアウタカバー１２とを一体に備えている。インナハウジング１１は、端子収容室１３が設けられており、箱状に形成されている。インナハウジング１１は、各々の端子収容室１３に雌端子を収容する。
【００１９】
アウタカバー１２は、内側にインナハウジング１１を収容した格好で、該インナハウジング１１と一体に形成されている。アウタカバー１２の内面は、インナハウジング１１の外面と間隔をあけている。また、アウタカバー１２の互いに相対する一対の内面には、図示しない一対のレバー用支持突起が設けられている。レバー用支持突起は、アウタカバー１２の内面からコネクタハウジング９の内側に向かって立設している。レバー用支持突起は、それぞれ円柱状に形成されている。一対のレバー用支持突起は、互いに間隔をあけて配置され、アウタカバー１２の雄コネクタ２の幅方向（図１中の奥行き方向）の中央に設けられている。
【００２０】
なお、幅方向とは、コネクタ２，３同士が後述するように互いに嵌合又は分離する際に、これらのコネクタ２，３が相対的に移動（接離）する方向（図１中に矢印Ｓに示す）に対して直交している。また、幅方向とは、雄コネクタ２の雌端子同士が並ぶ方向及び雌コネクタ３の雄端子同士が並ぶ方向である。即ち、幅方向とは、雌端子及び雄端子の長手方向に対して直交している。コネクタ２，３同士が接離する方向Ｓは、特許請求の範囲に記載したコネクタ２，３同士の嵌合方向をなしている。また、コネクタハウジング９には、図２に示すように、インナハウジング１１とアウタカバー１２とを連結する連結リブ１５が複数設けられている。
【００２１】
パッキン１０は、ゴムなどの弾性変形自在な合成樹脂（弾性材料）で構成されている。パッキン１０は、輪状に形成されて、内側のインナハウジング１１を通して、該インナハウジング１１に取り付けられる。パッキン１０には、コネクタハウジング９の外側に向かって凸のリップ１６（図４に示す）が全周に亘って形成されている。リップ１６は、図示例では、三つ設けられている。
【００２２】
パッキン１０は、コネクタ２，３同士が嵌合すると、雄コネクタ２のコネクタハウジング９のインナハウジング１１の外面と、雌コネクタ３の後述するフード部２４の内面との双方と接触して、これらの間を水密に保つ。即ち、パッキン１０は、コネクタ２，３同士が嵌合すると、雄コネクタ２と雌コネクタ３との間を水密に保つ。
【００２３】
また、雄コネクタ２のコネクタハウジング９には、雌コネクタ３の後述するコネクタハウジング２２のロック突起と係合するロックアームが設けられている。雄コネクタ２は、ロックアームがロック突起と係合することで、雌コネクタ３と嵌合する。
【００２４】
雌コネクタ３は、コネクタハウジング２２と、図示しない雄型の端子金具（以下、雄端子と呼ぶ）を備えている。コネクタハウジング２２は、雄端子の主に電線接続部を収容する箱状の本体部２３と、雄端子の主に電気接触部を収容する筒状のフード部２４とを一体に備えている。本体部２３には、雄端子の電線接続部を収容する端子収容室２５が設けられている。フード部２４は、本体部２３の外縁に連なって筒状に形成されている。フード部２４は、内側に雄コネクタ２のインナハウジング１１を収容して、該雄コネクタ２のアウタカバー１２内に収容される。
【００２５】
コネクタハウジング２２には、ロック突起と、支点ガイド溝が設けられている。ロック突起とは、コネクタハウジング２２の外面から凸に形成されている。ロック突起は、ロックアームと係合して、コネクタ２，３同士を嵌合する。
【００２６】
支点ガイド溝は、コネクタハウジング２２の互いに間隔をあけて相０対する一対の外壁の外面から凹に形成されている。支点ガイド溝は、コネクタ２，３同士が嵌合する際に、レバー４の後述する支点ボス７が侵入する。支点ガイド溝内に侵入した支点ボス７は、該支点ガイド溝内を移動自在である。支点ガイド溝は、支点ボス７と協同して、レバー４の回転動作によってコネクタ２，３同士を接離させる。
【００２７】
前述した雌コネクタ３は、コネクタハウジング２２のフード部２４が雄コネクタ２のインナハウジング１１とアウタカバー１２との間に侵入し、かつロック突起がロックアームと係合して、雄コネクタ２と嵌合する。これらのコネクタ２，３は、互いに嵌合すると、雌端子と雄端子とが互いに電気的に接続して、当該端子に取り付けられた電線同士が電気的に接続する。
【００２８】
レバー４は、図３に示すように、一対の平板部２９と、これら一対の該平板部２９の一端部同士を連結した操作板部３０とを備えて、側方からみて全体としてコ字状に形成されている。平板部２９は、それぞれ、帯板状に形成されている。一対の平板部２９は、互いに間隔をあけて平行に配置されている。
【００２９】
一対の平板部２９には、それぞれ、一つの支点ボス７と、一対のガイド孔３１とが設けられている。支点ボス７は、平板部２９の操作板部３０が連なっていない他端部に設けられている。支点ボス７は、円柱状に形成されており、平板部２９の他端部から該一対の平板部２９同士が近づく方向に突出している。即ち、支点ボス７は、平板部２９から雄コネクタ２に嵌合する雌コネクタ３のコネクタハウジング２２に向かって凸に形成されている。
【００３０】
一対のガイド孔３１は、平板部２９を貫通している。一対のガイド孔３１は、互いに間隔をあけて配置され、かつ平板部２９の長手方向と幅方向との双方の中央部に設けられている。一方のガイド孔３１の平面形状は、その長径が平板部２９の長手方向に沿った楕円形状（小判状又は長孔形状ともいう）に形成されている。他方のガイド孔３１の平面形状は、円弧状に延びた長孔形状に形成されている。他方のガイド孔３１は、その曲率の中心が前述した一方のガイド孔３１側に位置するように、円弧状に湾曲している。
【００３１】
ガイド孔３１内には、それぞれ、レバー用支持突起が侵入する。ガイド孔３１内に侵入したレバー用支持突起は、該ガイド孔３１内を移動自在となるとともに内で回転自在となる。また、ガイド孔３１内にレバー用支持突起が侵入することで、レバー４は、平板部２９の中央部を中心として回転自在に雄コネクタ２に取り付けられる。
【００３２】
平板部２９は、ガイド孔３１内にレバー用支持突起が侵入することで、インナハウジング１１とアウタカバー１２との間に配置される。そして、平板部２９は、レバー用支持突起が作用点用ガイド孔３１内を移動しかつ内で回転自在となることで、その中央部を中心として、回転自在にコネクタハウジング９即ち雄コネクタ２に取り付けられる。
【００３３】
前述したレバー４は、ガイド孔３１内にレバー用支持突起が侵入して、インナハウジング１１と間隔をあけた状態で雄コネクタ２に取り付けられる。そして、レバー４は、前述した中央部を中心として回転自在に雄コネクタ２に支持される。さらに、コネクタ２，３同士を嵌合する際に、レバー４に設けられた支点ボス７が支点ガイド溝内に侵入する。
【００３４】
そして、レバー４は、前述した中央部を中心として雄コネクタ２のコネクタハウジング９に対して回転することで、支点ボス７が支点ガイド溝内を摺動（移動及び回転）して、雌コネクタ３と雄コネクタ２とを互いに接離させる。なお、接離とは、雄コネクタ２と雌コネクタ３とが、互いに近づいたり離れることを示している。レバー４は、コネクタ２，３同士を接離させて、これらのコネクタ２，３同士を嵌合させたり分離させる。
【００３５】
押圧凸部５は、図３に示すように、それぞれ、レバー４の平板部２９の長手方向の中央でかつ、コネクタ２，３同士が嵌合した際に、雌コネクタ３から離れた側の外縁部に設けられている。押圧凸部５は、レバー４の平板部２９から当該平板部２９同士が近づく方向に凸に形成されている。即ち、押圧凸部５は、コネクタ２，３同士が嵌合する際に、レバー４から雌コネクタ３に向かって突出している。
【００３６】
また、押圧凸部５は、コネクタ２，３同士が嵌合する際に、雌コネクタ３のフード部２４の雄コネクタ２寄りの先端部２４ａの幅方向の中央部２４ｂと当接（干渉）して、当該フード部２４の先端部２４ａの幅方向の中央部２４ｂを雄コネクタ２のインナハウジング１１に向かって押圧する。このため、押圧凸部５は、コネクタ２，３の嵌合後には、図２に示すように、雌コネクタ３のフード部２４の雄コネクタ２寄りの先端部２４ａの幅方向の中央部２４ｂと前述した接離する方向Ｓに直交する方向に並ぶ位置（の近傍）に配置される。
【００３７】
前述したコネクタ１の雄コネクタ２と雌コネクタ３とを互いに嵌合させる際には、以下のように、組み立てる。まず、コネクタハウジング９内に電線付きの雌端子を収容して、雄コネクタ２のコネクタハウジング９にレバー４を取り付けるとともに、雌コネクタ３のコネクタハウジング２２内に電線付きの雄端子を収容して、これらのコネクタ２，３を組み立てる。この状態では、レバー４は、平板部２９の殆ど全体がインナハウジング１１とアウタカバー１２との間から突出した位置に位置付けられている。
【００３８】
そして、コネクタ２，３同士を互いに近づけて、支点ガイド溝内に支点ボス７を侵入させ、かつ、図４に示すように、雄コネクタ２のインナハウジング１１を雌コネクタ３のフード部２４内に挿入するとともに、雌コネクタ３のフード部２４を雄コネクタ２のアウタカバー１２内に挿入する。そして、レバー４の操作板部３０を押圧して、該レバー４を平板部２９の殆ど全体がインナハウジング１１とアウタカバー１２との間に没する方向に回転する。
【００３９】
すると、支点ボス７が、支点ガイド溝内を摺動して、図５に示すように、コネクタ２，３同士が互いに近づく。すると、押圧凸部５は、雌コネクタ３のフード部２４の先端部２４ａの中央部２４ｂと当接（干渉）して、当該フード部２４の先端部２４ａの中央部２４ｂを雄コネクタ２のインナハウジング１１に向かって押圧する。
【００４０】
そして、図６に示すように、押圧凸部５によって、雌コネクタ３のフード部２４が雄コネクタ２のインナハウジング１１と密着する方向に押圧されて、パッキン１０の主にリップ１６が弾性変形する。そして、図１及び図２に示すように、ロック突起とロックアームとが互いに嵌合して、コネクタ２，３同士が嵌合して、前述したコネクタ１が組み立てられる。
【００４１】
図２に示すように、コネクタ２，３同士が嵌合した状態では、勿論、押圧凸部５は、フード部２４の先端部２４ａの中央部２４ｂを雄コネクタ２のインナハウジング１１に向かって押圧している。このように、押圧凸部５は、コネクタ２，３同士が嵌合すると、雄コネクタ２と雌コネクタ３とが密着する方向に雌コネクタを押圧する。なお、コネクタ２，３同士を分離する際には、レバー４を先ほどとは逆向きに回転する。
【００４２】
本実施形態によれば、レバー４と雌コネクタ３とにうちのレバー４に、コネクタ２，３同士の嵌合時に、コネクタ２，３同士を密着させる押圧凸部５を設けているので、雄コネクタ２のパッキン１０の弾性変形量（つぶれ量）を増やさなくても、押圧凸部５がコネクタ２，３同士を密着させて、パッキン１０を双方のコネクタ２，３に密着させることができる。したがって、雄コネクタ２のパッキン１０の弾性変形量（つぶれ量）を増やすことなく、嵌合後にコネクタ２，３同士を密着させて当該コネクタ２，３同士を水密に保つことができる。
【００４３】
このため、コネクタ２，３同士の嵌合時に回転するために必要となるレバー４の操作力が強くなることを防止でき、雌コネクタ３によってパッキン１０が捲られることを防止できる。したがって、レバー４の操作力を強くすることがないので、コネクタ２，３同士を容易で確実に嵌合できるとともに、パッキン１０が捲られることもないので、嵌合後のコネクタ２，３同士を水密に保つことができる。
【００４４】
押圧凸部５が、雌コネクタ３のフード部２４の幅方向の中央部２４ｂの近傍に配置されるので、当該押圧凸部５が特にコネクタ２，３同士の嵌合後に拡がり易い雌コネクタ３のフード部２４の幅方向の中央部２４ｂを雄コネクタ２のインナハウジング１１と確実に密着させることができる。したがって、嵌合後のコネクタ２，３同士を確実に水密に保つことができる。
【００４５】
押圧凸部５が雌コネクタ３のフード部２４の雄コネクタ２寄りの先端部２４ａの近傍に配置されるので、当該押圧凸部５が特にコネクタ２，３同士の嵌合後に拡がり易い雌コネクタ３のフード部２４の先端部２４ａを雄コネクタ２のインナハウジング１１と確実に密着させることができる。したがって、嵌合後のコネクタ２，３同士をより確実に水密に保つことができる。
【００４６】
前述した実施形態では、雄コネクタ２にレバー４を取り付けているが、本発明では、雌コネクタ３にレバー４を取り付けても良い。また、前述した実施形態では、押圧凸部５をレバー４に設けているが、本発明では、雌コネクタ３のコネクタハウジング２２のフード部２４に押圧凸部５を設けても良い。
【００４７】
また、前述した実施形態では、押圧凸部５を雌コネクタ３のフード部２４の先端部２４ａの幅方向の中央部２４ｂと接離する方向Ｓに直交する方向に並ぶ位置に配置しているが、本発明では、押圧凸部５を雌コネクタ３のフード部２４の先端部２４ａの幅方向の中央部２４ｂと接離する方向Ｓに直交する方向に並ぶ位置に配置しなくてもよい。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４９】
【図１】本発明の一実施形態にかかるコネクタの断面図である。
【図２】図１中のＩＩ部を拡大して示す断面図である。
【図３】図１に示されたコネクタのレバーの斜視図である。
【図４】図２に示されたコネクタの雄コネクタと雌コネクタとを互いに近づける状態を示す断面図である。
【図５】図４に示された雄コネクタと雌コネクタとが更に近づいた状態を示す断面図である。
【図６】図５に示されたレバーに設けられた押圧凸部が雌コネクタのフード部の先端部を押圧した状態を示す断面図である。
【符号の説明】
【００５０】
１  コネクタ
２  雄コネクタ（雄型のコネクタ）
３  雌コネクタ（雌型のコネクタ）
４  レバー
５  押圧凸部
２４ａ  先端部
２４ｂ  中央部
Ｓ  接離する方向（嵌合方向）
【図１】
2008004271.tif 000003
【図２】
2008004271.tif 000004
【図３】
2008004271.tif 000005
【図４】
2008004271.tif 000006
【図５】
2008004271.tif 000007
【図６】
2008004271.tif 000008